(57)【特許請求の範囲】
【請求項１】
画像を撮影し、その画像の画素単位のディジタルデータを画像データとして出力する１つのモジュールとして構成され、前記表示部における表示領域よりも大きい領域の画像を撮像可能なカメラ部と、表示部とを備えたディジタルカメラ装置において、
前記カメラ部が出力しうる画像の領域よりも小さく該領域内の矩形領域である第１領域の一頂点を示す第１領域原点、前記第１領域よりも小さく該第１領域内における矩形領域である第２領域の一頂点を示し前記第１領域原点からの相対座標で表された第２領域原点、および前記第２領域の大きさを示すデータを記憶する記憶部と、
前記カメラ部から出力された画像データのうち前記表示領域に表示されるべき領域として、前記記憶部に記憶されている前記第１領域原点を示すデータに基づいて前記第２領域原点を指定するともに、前記記憶部に記憶されているデータに基づいて前記第２領域の大きさを指定する画像データ領域指定部とを備え、
前記表示部は、前記画像データ領域指定部で指定された前記第２領域原点から、前記画像データ領域指定部で指定された大きさの前記第２領域を表示領域として画面表示し、
前記記憶部は、第２領域原点および第２領域の大きさを示すデータを複数記憶する
ことを特徴とするディジタルカメラ装置。
【請求項２】
画像データ領域指定部は、垂直同期信号及び水平同期信号で領域指定を行う
請求項１記載のディジタルカメラ装置。
【請求項３】
記憶部に記憶されている第１領域原点を示すデータは設定変更可能であり、前記記憶部は、第２領域原点および第２領域の大きさを固定値として記憶する
請求項１または請求項２記載のディジタルカメラ装置。
【発明の詳細な説明】
【０００１】
【発明の属する技術分野】
この発明は、ディジタルカメラで撮影した画像データのうち画面表示に必要な領域を指定する機能を有するディジタルカメラ装置に関する。
【０００２】
【従来の技術】
例えば携帯電話機などの携帯端末には、ディジタルカメラが内蔵されたものがある。このようにディジタルカメラを１つのモジュール（複数個組み合わせて１つのハードウェア・システムを作ることができる基本単位といい、いくつかを組み合わせるだけでシステムが構築できるような機能を持った機器）として扱う機器のことを、ここではディジタルカメラモジュール機器（ディジタルカメラモジュール装置）という。
【０００３】
ディジタルカメラモジュール機器では、表示部の液晶画面などのサイズに合わせて、ディジタルカメラで撮影した画像データのうち画面表示に必要な領域のみを指定する必要がある。以下、従来のディジタルカメラモジュール機器における画像データ指定方法について説明する。
【０００４】
図１１は、従来のディジタルカメラモジュール機器の構成を示すブロック図である。図１１において、第１カメラ部１Ａ及び第２カメラ部１Ｂは、それぞれ、ＣＣＤ（Charge Coupled Device ；電荷結合素子）で光を電気信号に変換することによって、画像を画素単位のディジタルデータとして撮影するディジタルカメラ機能を備えた部分（モジュール）である。図１１に示すように、第１カメラ部１Ａ又は第２カメラ部１Ｂのいずれか一方が、機器に内蔵される（取り付けられる）。
【０００５】
第１カメラ部１Ａと第２カメラ部１Ｂは、それぞれ撮影範囲（即ち、解像度）が異なるものである。ここで、第１カメラ部１Ａの撮影範囲を図１２（ａ）に示し、また第２カメラ部１Ｂの撮影範囲を図１２（ｂ）に示す。図１２（ａ）に示すように、第１カメラ部１Ａの撮影範囲１００は、水平方向画素数（横方向）×垂直方向画素数（縦方向）＝３００×２５０である。また、図１２（ｂ）に示すように、第２カメラ部１Ｂの撮影範囲２００は、第１カメラ部１Ａの撮影範囲１００よりも大きく、水平方向画素数×垂直方向画素数＝４００×３００である。
【０００６】
画像データ領域指定部２は、第１カメラ部１Ａ又は第２カメラ部１Ｂの撮影範囲１００，２００が表示部４の表示画面の大きさよりも大きい場合（即ち、第１カメラ部１Ａ又は第２カメラ部１Ｂの解像度が表示部４の表示画面の解像度よりも高い場合）、記憶部５に格納された領域指定プログラム５０内の領域原点５１及び領域範囲５２の情報に基づいて、第１カメラ部１Ａ又は第２カメラ部１Ｂが撮影した画像データのうち画面表示に必要な領域を指定するものである。
【０００７】
画像処理部３は、画像データ領域指定部２から出力された領域指定された画像データに対してフィルタ処理などの画像処理を施すものである。表示部４は、画像処理部３から出力された画像データを表示画面に表示するものである。尚、表示部４の表示画面の解像度は、２４０×２４０であるものとする。
【０００８】
記憶部５は、画像データ領域指定部２による領域指定を制御するための領域指定プログラム５０などを記憶するメモリである。領域指定プログラム５０には、画像データ領域指定部２で指定される領域の原点座標データである領域原点（Ｈ＿ＯＦＳ，Ｖ＿ＯＦＳ）５１及び画像データ領域指定部２で指定される範囲データである領域範囲（Ｈ＿ＣＡＰ，Ｖ＿ＣＡＰ）５２が格納されている。尚、Ｈ＿ＯＦＳは、Horizontal Offset を示し、Ｖ＿ＯＦＳは、Vertical Offset を示している。また、Ｈ＿ＣＡＰは、Horizontal Captureを示し、Ｖ＿ＣＡＰは、Vertical Captureを示している。
【０００９】
次に、画像データ領域指定部２による画像データの領域指定について具体的に説明する。
（１）第１カメラ部１Ａ使用時の場合
図１３は、第１カメラ部１Ａ使用時の画像データ領域指定部２による画像データ領域指定の具体例を示す図である。
【００１０】
第１カメラ部１Ａで撮影された解像度３００×２５０画素の撮影範囲１００の画像データは、画像データ領域指定部２に出力される。画像データ領域指定部２は、記憶部５に格納された領域指定プログラム５０の領域原点５１及び領域範囲５２の情報に基づいて、第１カメラ部１Ａから出力された画像データの領域指定を行う。
【００１１】
ここで、領域指定プログラム５０内の領域原点（Ｈ＿ＯＦＳ，Ｖ＿ＯＦＳ）５１は、（３０，５）であり、領域範囲（Ｈ＿ＣＡＰ，Ｖ＿ＣＡＰ）５２は、（２４０，２４０）であるものとする。この場合、図１３に示すように、画像データは、画像データ領域１０１の左上の原点（０，０）から水平方向（横方向）に３０画素及び垂直方向（縦方向）に５画素進んだ位置を領域原点５１として、水平方向及び垂直方向に２４０画素の領域１０２が画像データ領域指定部２によって指定されることとなる。図１３に示すように、指定領域１０２は、画像データ領域１０１の中心部分（中心領域）に位置している。
【００１２】
画像データ領域指定部２で指定された指定領域１０２の画像データは、画像処理部３に出力され、画像処理部３にてフィルタ処理などの画像処理が施される。そして、指定領域１０２の画像データは、表示部４に出力され、表示部４にて図１３に示すような画像データ領域１０１の中心部分の表示領域１０３が表示画面に表示される。
【００１３】
（２）第１カメラ部１Ａを第２カメラ部１Ｂに交換した場合
図１４は、第１カメラ部１Ａを第２カメラ部１Ｂに交換した場合の画像データ領域指定部２による画像データ領域指定の具体例を示す図である。
【００１４】
図１１に示すように、ディジタルカメラモジュール機器に内蔵される第１カメラ部１Ａを第２カメラ部１Ｂに交換（変更）した場合、図１２に示したように、第１カメラ部１Ａの撮影範囲１００と第２カメラ部１Ｂの撮影範囲２００とが異なるため、領域指定プログラム５０内の領域原点５１及び領域範囲５２の情報を設定変更しないと、図１４に示すように、画像データ領域指定部２によって指定される指定領域２０２が、画像データ領域２０１の中心部分からずれてしまい、その結果、表示部４によって表示画面に表示される表示領域２０３も、画像データ領域２０１の中心部分からずれてしまう。
【００１５】
即ち、第２カメラ部１Ｂで撮影された解像度４００×３００画素の撮影範囲２００の画像データが、画像データ領域指定部２に出力されると、画像データ領域指定部２は、記憶部５に格納された領域指定プログラム５０内の領域原点５１及び領域範囲５２の情報に基づいて、第２カメラ部１Ｂから出力された画像データの領域指定を行う。
【００１６】
このとき、領域指定プログラム５０内の領域原点（Ｈ＿ＯＦＳ，Ｖ＿ＯＦＳ）５１は、（３０，５）のままであり、領域範囲（Ｈ＿ＣＡＰ，Ｖ＿ＣＡＰ）５２は、（２４０，２４０）のままであるものとする。この場合、図１４に示すように、画像データは、上記同様、画像データ領域２０１の左上の原点（０，０）から水平方向に３０画素及び垂直方向に５画素進んだ位置を領域原点５１として、水平方向及び垂直方向に２４０画素の領域２０２が画像データ領域指定部２によって指定される。
【００１７】
この指定領域２０２は、画像データ領域２０１の中心位置から斜め左上方にずれたものとなる。その結果、表示部４は、画像データ領域指定部２で指定された中心部分からずれた指定領域２０２を表示領域２０３として表示画面に表示することとなる。
【００１８】
第１カメラ部１Ａを第２カメラ部１Ｂに交換した後、画像データ領域２０１の中心部分を画像データ領域指定部２で領域指定し、表示部４で表示したい場合は、領域指定プログラム５０内の領域原点５１及び領域範囲５２の情報を設定変更する必要がある。
【００１９】
（３）設定変更後の第２カメラ部１Ｂ使用時の場合
図１５は、設定変更後の第２カメラ部１Ｂ使用時の画像データ領域指定部２による画像データ領域指定の具体例を示す図である。
【００２０】
第１カメラ部１Ａを第２カメラ部１Ｂに交換した後、画像データ領域２０１の中心部分を画像データ領域指定部２で領域指定するために、領域指定プログラム５０内の領域原点（Ｈ＿ＯＦＳ，Ｖ＿ＯＦＳ）５１を（８０，３０）と設定変更する。尚、領域指定プログラム５０内の領域範囲（Ｈ＿ＣＡＰ，Ｖ＿ＣＡＰ）５２は、（２４０，２４０）のままでよい。
【００２１】
この場合、図１５に示すように、画像データは、画像データ領域３０１の左上の原点（０，０）から水平方向に８０画素及び垂直方向に３０画素進んだ位置を領域原点５１として、水平方向及び垂直方向に２４０画素の領域２０４が画像データ領域指定部２によって指定されることとなる。図１５に示すように、指定領域２０４は、画像データ領域２０１の中心部分（中心領域）に位置することとなる。
【００２２】
画像データ領域指定部２で指定された指定領域２０４の画像データは、画像処理部３にてフィルタ処理などの画像処理が施され、表示部４にて図１５に示すような画像データ領域２０１の中心部分の表示領域２０５が表示画面に表示される。
【００２３】
【発明が解決しようとする課題】
以上のように、従来の画像データ領域指定方法では、画像データ領域指定部２が、記憶部５に格納されている領域指定プログラム５０内の領域原点（Ｈ＿ＯＦＳ，Ｖ＿ＯＦＳ）５１及び領域範囲（Ｈ＿ＣＡＰ，Ｖ＿ＣＡＰ）５２の情報に基づいて、第１及び第２カメラ部１Ａ，１Ｂで撮影された画像データの領域指定を行っていた。
【００２４】
従って、第１カメラ部１Ａを第２カメラ部１Ｂに交換してディジタルカメラモジュール機器を製造しようとする場合、作業者が、指定領域の位置を調整（変更）するために、全ての製品の記憶部５に格納された領域指定プログラム５０内の領域原点５１の情報を設定変更しなければならず、作業者の作業負担が大きなものであった。
【００２５】
特に、例えば表示部４の表示モード（解像度、画面表示の範囲）を複数段階で切り替えることができるディジタルカメラモジュール機器の場合、図１６に示すように、領域指定プログラム５０は、表示モード毎に複数組の領域原点５１ａ〜及び領域範囲５２ａ〜が設定されるが、第１カメラ部１Ａを第２カメラ部１Ｂに交換した場合、複数組の領域原点５１ａ〜の情報を全て設定変更しなければならなくなり、作業効率が悪く、作業者の作業負担が増大してしまう。
【００２６】
この発明は、上記のような課題を解決するためになされたものであり、カメラ部を交換する場合に、画像データの領域指定の設定変更を簡単に行うことができるディジタルカメラ装置を得ることを目的とする。
【００２７】
【課題を解決するための手段】
以上の目的を達成するため、本発明に係るディジタルカメラ装置は、カメラ部で撮影された画素単位のディジタルデータである画像データのうち画面表示に必要な領域を指定する場合、画像データが２次元配列された、カメラ部の撮影範囲である画像データ領域内に仮想的な第１領域を設定し、その第１領域内に第２領域を指定するようにしたものである。
【００２８】
また、本発明に係るディジタルカメラ装置は、１つのモジュールとして構成されたカメラ部で撮影された画素単位のディジタルデータである画像データを入力すると、記憶部に格納されている第１領域の原点座標データである第１領域原点に基づいて、画像データが２次元配列された、カメラ部の撮影範囲である画像データ領域中に、その画像データ領域の原点から水平方向及び垂直方向に所定画素数進んだ位置に第１領域原点を設定し、記憶部に格納されている第１領域原点からの相対座標データである第２領域原点及び第２領域の範囲データである第２領域範囲に基づいて、第１領域原点から水平方向及び垂直方向に所定画素数進んだ位置に第２領域原点を設定し、その第２領域原点から水平方向及び垂直方向に所定画素数の領域を第２領域として指定するようにしたものである。
【００２９】
また、本発明に係るディジタルカメラ装置は、画像データ領域指定部が、垂直同期信号及び水平同期信号で領域指定を行うようにしたものである。
【００３０】
【発明の実施の形態】
以下、本発明の実施の一形態を説明する。
図１は、本発明のディジタルカメラモジュール機器の構成を示すブロック図である。図１において、カメラ部１は、ＣＣＤで光を電気信号に変換することによって、画像を画素単位のディジタルデータ（画像データ）として撮影するディジタルカメラ機能を備えた部分（モジュール）である。
【００３１】
図２は、カメラ部１の内部構造を示す構成図である。図２に示すように、カメラ部１は、筐体１１、レンズ１２、光学フィルタ１３、光学センサ１４、ＤＳＰ（Digital Signal Processor）１５、基板１６及びコネクタ１７などから構成されている。レンズ１２から取り込まれた光学信号（光）は、光学フィルタ１３でＲＧＢ等の色分離され、光学センサ１４で画素単位のディジタルデータに変換される。そのディジタルデータは、ＤＳＰ１５によって画像データに生成（加工）され、クロック信号及び同期信号とともにコネクタ１７から出力される（図５参照）。
【００３２】
図１の説明に戻って、画像データ領域指定部２は、カメラ部１の撮影範囲が表示部４の表示画面の大きさよりも大きい場合、記憶部６に格納された領域指定プログラム６０内の第１領域原点６１、第２領域原点６２及び第２領域範囲６３の情報に基づいて、カメラ部１が撮影した画像データのうち画面表示に必要な領域を指定するものである。
【００３３】
画像処理部３は、画像データ領域指定部２から出力された領域指定された画像データに対してフィルタ処理などの画像処理を施すものである。表示部４は、画像処理部３から出力された画像データを表示画面に表示するものである。尚、表示部４の表示画面の解像度は、２４０×２４０であるものとする。
【００３４】
記憶部６は、画像データ領域指定部２による領域指定を制御するための領域指定プログラム６０などを記憶するメモリである。領域指定プログラム６０には、画像データ領域指定部２で指定される第１領域の原点座標データである第１領域原点（Ｈ＿ＯＦＳ１，Ｖ＿ＯＦＳ１）６１、画像データ領域指定部２で指定される第２領域の原点座標データ（第１領域原点６１からの相対座標データ）である第２領域原点（Ｈ＿ＯＦＳ２，Ｖ＿ＯＦＳ２）６２、及び画像データ領域指定部２で指定される第２領域の範囲データである第２領域範囲（Ｈ＿ＣＡＰ，Ｖ＿ＣＡＰ）６３が格納されている。
【００３５】
図３は、画像データ領域指定部２で指定される第１及び第２領域を示す図である。ここで、全領域３００は、カメラ部１で撮影された、カメラ部１から供給（出力）される画像データ領域（撮影範囲）である。この全領域３００は、画像データの２次元配列となっており、各画素の位置が画素単位の座標で表現される。全領域３００の水平方向の画素数がＨ＿ＡＬＬ、垂直方向の画素数がＶ＿ＡＬＬであり、全領域３００の左上の画素（点Ａ）の座標が全領域３００の原点（０，０）である。
【００３６】
カメラ部１から画像データ領域指定部２への画像データは、全領域３００の原点Ａからスタートし、（０，０）（１，０）（２，０）・・・（Ｈ＿ＡＬＬ，０）（０，１）（１，１）（２，１）・・・（Ｈ＿ＡＬＬ，１）・・・の順に供給される。
【００３７】
図３に示すように、第１領域３０１は、全領域３００より狭い範囲であって、全領域３００内に存在する。第１領域３０１の左上の画素（点Ｂ）の座標が第１領域３０１の原点（Ｈ＿ＯＦＳ１，Ｖ＿ＯＦＳ１）であり、記憶部６の領域指定プログラム６０内の第１領域原点６１として格納される。
【００３８】
第２領域３０２は、第１領域３０１よりも狭い範囲であって、第１領域３０１内に存在する。画像データ領域指定部２から画像処理部３に供給（出力）される画像データは、第２領域３０２の画像データである。第２領域３０２の左上の画素（点Ｃ）の座標が第２領域３０２の原点（Ｈ＿ＯＦＳ１＋Ｈ＿ＯＦＳ２，Ｖ＿ＯＦＳ１＋Ｖ＿ＯＦＳ２）であり、第１領域原点（点Ｂ）（Ｈ＿ＯＦＳ１，Ｖ＿ＯＦＳ１）６１からの相対座標（Ｈ＿ＯＦＳ２，Ｖ＿ＯＦＳ２）が記憶部６の領域指定プログラム６０内の第２領域原点６２として格納される。第２領域３０２の水平及び垂直方向の画素数である範囲情報（Ｈ＿ＣＡＰ，Ｖ＿ＣＡＰ）が記憶部６の領域指定プログラム６０内の第２領域範囲６３として格納される。
【００３９】
図４は、図３で示した画像データ領域指定部２で指定される第１及び第２領域の具体例を示す図である。図４に示すように、カメラ部１から出力される画像データ領域（全領域）４００は、水平方向画素数×垂直方向画素数＝４００×３００である。
【００４０】
第１領域原点６１として、（Ｈ＿ＯＦＳ１，Ｖ＿ＯＦＳ１）＝（５０，３０）と設定されることにより、画像データ領域４００内に第１領域４０１が画像データ領域指定部２によって指定される。また、第２領域原点６２として、（Ｈ＿ＯＦＳ２，Ｖ＿ＯＦＳ２）＝（３０，５）と設定され、第２領域範囲６３として、（Ｈ＿ＣＡＰ，Ｖ＿ＣＡＰ）＝（２４０，２４０）と設定されることにより、第１領域４０１内に第２領域４０２が画像データ領域指定部２によって指定される。その結果、表示部４によって表示領域４０３が表示されることとなる。
【００４１】
次に、カメラ部１から画像データ領域指定部２及び画像データ領域指定部２から画像処理部３にデータ転送される具体的な信号の例について説明する。図５は、画像データ領域指定部２が入出力する信号を示す図である。図５に示すように、カメラ部１は、画像データ領域指定部２に対して、データクロック信号（ＣＡＭＣＬＫ）、垂直同期信号（ＣＡＭＶＲＥＦ）、水平同期信号（ＣＡＭＨＲＥＦ）及び画像データ（ＣＡＭＤＡＴ［１５，０］）の各信号を出力（供給）する。
【００４２】
図６は、画像データ領域指定部２が入力する各信号の具体例を示す図である。図６に示すように、垂直同期信号（ＣＡＭＶＲＥＦ）は、１画面分の画像データ（ＣＡＭＤＡＴ［１５，０］）の転送中にＨｉｇｈレベルとなり、水平同期信号（ＣＡＭＨＲＥＦ）は、１ライン分（１行分）の画像データ（ＣＡＭＤＡＴ［１５，０］）の転送中にＨｉｇｈレベルとなる。尚、画像データ（ＣＡＭＤＡＴ［１５，０］）は、１６ビットバスで転送される。
【００４３】
具体的には、図６では、カメラ部１が、図４に示した４００×３００画素の画像データ領域４００の画像データを画像データ領域指定部２に出力するものである。従って、画像データ領域４００の１画面には３００ラインあり、その３００ラインの画像データの転送中には、垂直同期信号（ＣＡＭＶＲＥＦ）はＨｉｇｈレベルとなっている。また、１ラインは４００ビットあり、その４００ビットのデータの転送中には、水平同期信号（ＣＡＭＨＲＥＦ）はＨｉｇｈレベルとなっている。
【００４４】
また、図５に示すように、画像データ領域指定部２は、画像処理部３に対して、データクロック信号（ＰＩＣＣＬＫ）、垂直同期信号（ＰＩＣＶＲＥＦ）、水平同期信号（ＰＩＣＨＲＥＦ）及び画像データ（ＰＩＣＤＡＴ［１５，０］）の各信号を出力（供給）する。
【００４５】
図７は、画像データ領域指定部２が出力する各信号の具体例を示す図である。図７に示すように、垂直同期信号（ＰＩＣＶＲＥＦ）は、１画面分の画像データのうちの領域指定された画像データ（ＰＩＣＤＡＴ［１５，０］）の転送中にＨｉｇｈレベルとなり、水平同期信号（ＰＩＣＨＲＥＦ）は、１ライン分（１行分）の画像データのうちの領域指定された画像データ（ＰＩＣＤＡＴ［１５，０］）の転送中にＨｉｇｈレベルとなる。尚、画像データ（ＰＩＣＤＡＴ［１５，０］）も、１６ビットバスで転送される。
【００４６】
具体的には、図７では、画像データ領域指定部２が、図４に示した４００×３００画素の画像データ領域４００のうちの領域指定された第２領域４０２の画像データを画像処理部３に出力するものである。従って、第２領域４０２には２４０ラインあり、その２４０ラインの画像データ（３０ライン〜２６９ラインの画像データ）の転送中には、垂直同期信号（ＰＩＣＶＲＥＦ）はＨｉｇｈレベルとなっている。また、１ラインは２４０ビットあり、その２４０ビットのデータ（８０ビット〜３１９ビットのデータ）の転送中には、水平同期信号（ＰＩＣＨＲＥＦ）はＨｉｇｈレベルとなっている。
【００４７】
次に、画像データ領域指定部２による画像データの領域指定について具体的に説明する。
図８は、カメラ部を交換する場合における本発明のディジタルカメラ内蔵機器の構成を示すブロック図である。ここで、第１カメラ部１Ａ及び第２カメラ部１Ｂは、図２に示したカメラ部１と同一構成のものである。一方、第１カメラ部１Ａと第２カメラ部１Ｂは、それぞれ撮影範囲（即ち、解像度）が異なるものである。第１カメラ部１Ａ及び第２カメラ部１Ｂの撮影範囲は、図１２（ａ）（ｂ）に示した撮影範囲１００，２００と同様に、第１カメラ部１Ａの撮影範囲１００は、水平方向画素数（横方向）×垂直方向画素数（縦方向）＝３００×２５０であり、また、第２カメラ部１Ｂの撮影範囲２００は、水平方向画素数×垂直方向画素数＝４００×３００であるものとする。
【００４８】
尚、図８におけるその他の構成については、図１に示したものと同様であるため、同一符号を付して重複する説明を省略する。
【００４９】
（１）第１カメラ部１Ａ使用時の場合
図９は、第１カメラ部１Ａ使用時の画像データ領域指定部２による画像データ領域指定の具体例を示す図である。
【００５０】
第１カメラ部１Ａで撮影された解像度３００×２５０画素の撮影範囲１００の画像データは、画像データ領域指定部２に出力される。画像データ領域指定部２は、記憶部６に格納された領域指定プログラム６０の第１領域原点６１、第２領域原点６２及び第２領域範囲６３の情報に基づいて、第１カメラ部１Ａから出力された画像データの領域指定を行う。
【００５１】
ここで、領域指定プログラム６０内の第１領域原点（Ｈ＿ＯＦＳ１，Ｖ＿ＯＦＳ１）６１は、（０，０）であり、第２領域原点（Ｈ＿ＯＦＳ２，Ｖ＿ＯＦＳ２）６２は、（３０，５）であり、第２領域範囲（Ｈ＿ＣＡＰ，Ｖ＿ＣＡＰ）６３は、（２４０，２４０）であるものとする。
【００５２】
この場合、図９に示すように、第１領域５０１の第１領域原点６１が画像データ領域５００の原点（０，０）と同一であるので、画像データ領域５００と第１領域５０１が一致することとなる（同一となる）。また、画像データは、第１領域５０１（即ち、画像データ領域５００）の左上の原点（０，０）から水平方向（横方向）に３０画素及び垂直方向（縦方向）に５画素進んだ位置を第２領域原点６２として、水平方向及び垂直方向に２４０画素の第２領域５０２が画像データ領域指定部２によって指定されることとなる。このとき、図９に示すように、第２領域５０２は、画像データ領域５００の中心部分（中心領域）に位置している。
【００５３】
画像データ領域指定部２で指定された第２領域５０２の画像データは、画像処理部３に出力され、画像処理部３にてフィルタ処理などの画像処理が施される。第２領域５０２の画像データは、表示部４に出力され、表示部４にて図９に示すような第１領域５０１（即ち、画像データ領域５００）の中心部分の表示領域５０３が表示画面に表示される。
【００５４】
（２）第１カメラ部１Ａを第２カメラ部１Ｂに交換する場合
ディジタルカメラモジュール機器に内蔵される第１カメラ部１Ａを第２カメラ部１Ｂに交換（変更）する場合、従来技術で説明したように、第１カメラ部１Ａと第２カメラ部１Ｂとの撮影範囲１００，２００が異なるため、画像データ領域指定部２によって指定される指定領域が中心部分からずれてしまう。従って、記憶部６に格納されている領域指定プログラム６０内の情報を設定変更する必要がある。
【００５５】
図１０は、設定変更後の第２カメラ部１Ｂ使用時の画像データ領域指定部２による画像データ領域指定の具体例を示す図である。第１カメラ部１Ａを第２カメラ部１Ｂに交換した後、画像データ領域６００の中心部分を第２領域６０２として画像データ領域指定部２で領域指定するために、領域指定プログラム６０内の第１領域原点（Ｈ＿ＯＦＳ１，Ｖ＿ＯＦＳ１）６１を（５０，２５）と設定変更する。
【００５６】
尚、領域指定プログラム６０内の第２領域原点（Ｈ＿ＯＦＳ２，Ｖ＿ＯＦＳ２）６２は、（３０，５）のままでよく、また、第２領域範囲（Ｈ＿ＣＡＰ，Ｖ＿ＣＡＰ）６３も、（２４０，２４０）のままでよい。
【００５７】
この場合、図１０に示すように、画像データは、画像データ領域６００の左上の原点（０，０）から水平方向に５０画素及び垂直方向に２５画素進んだ位置が第１領域原点６１として画像データ領域指定部２によって設定される。その結果、第１領域原点６１から水平方向及び垂直方向にそれぞれ３００画素及び２５０画素の領域が、第１領域６０１として仮想的に指定されたこととなる。この第１領域６０１は、上記図９に示した第１カメラ部１Ａの撮影範囲の画像データ領域５００と同一の範囲（広さ）の領域である。
【００５８】
さらに、画像データは、第１領域６０１の左上の第１領域原点（５０，２５）６１から水平方向に３０画素及び垂直方向に５画素進んだ位置が第２領域原点６２として画像データ領域指定部２によって設定され、その第２領域原点６２から水平方向及び垂直方向に２４０画素の領域が、第２領域６０２として画像データ領域指定部２によって指定される。図１０に示すように、第２領域６０２は、画像データ領域６００及び第１領域６０１の中心部分（中心領域）に位置するものである。
【００５９】
画像データ領域指定部２で指定された第２領域６０２の画像データは、画像処理部３にてフィルタ処理などの画像処理が施され、表示部４にて図１０に示すような画像データ領域６００及び第１領域６０１の中心部分に位置する表示領域６０３が表示画面に表示される。
【００６０】
以上のように、この実施の形態によれば、画像データ領域指定部２が、記憶部６に格納されている領域指定プログラム６０内の第１領域原点（Ｈ＿ＯＦＳ１，Ｖ＿ＯＦＳ１）６１の情報に基づき、画像データ領域６００内に第１領域６０１を設定し、第２領域原点（Ｈ＿ＯＦＳ２，Ｖ＿ＯＦＳ２）６２及び第２領域範囲（Ｈ＿ＣＡＰ，Ｖ＿ＣＡＰ）６３の情報に基づいて、第１領域６０１内に第２領域６０２を指定するように構成されているので、第１カメラ部１Ａを第２カメラ部１Ｂに交換してディジタルカメラモジュール機器を製造しようとする場合に、作業者が、領域指定プログラム６０内の第１領域原点６１を所定値に設定変更するだけで指定領域（第２領域６０２）の位置を調整（変更）することができることとなる。従って、作業者が、簡単に画像データ領域指定部２で指定される指定領域の調整（設定変更）を行うことができ、その結果、作業者の作業負担が軽減される。
【００６１】
特に、例えば表示部４の表示モード（解像度、画面表示の範囲）を複数段階で切り替えることができるディジタルカメラモジュール機器の場合、ユーザがディジタルカメラモジュール機器の使用中に、表示部４の表示モードを切り替えると、画像データ領域指定部２は、表示モード毎に領域指定プログラム６０内の領域指定条件を変更して表示部４に表示させなければならないが、この場合、画像データ領域指定部２は、第２領域原点６２及び第２領域範囲６３を変更することにより、表示モードに対応した領域指定を行うことができる。一方、第１カメラ部１Ａを第２カメラ部１Ｂに交換した（置き換えた）場合における領域指定プログラム６０内の領域指定条件の変更は、上記したように、第１領域原点６１の設定変更だけで対処することができる。
【００６２】
従って、上記図１６に示したように、領域指定プログラム６０に表示モード毎の複数組の領域指定条件（本実施の形態では、第２領域原点６２及び第２領域範囲６３）が設定されている場合でも、作業者は、１箇所に設定されている第１領域原点６１だけを設定変更するだけで、カメラ部１の交換に対応した指定領域の変更を行うことができ、作業効率が改善され、作業者の作業負担が大幅に向上することとなる。
【００６３】
尚、この実施の形態において、本発明のディジタルカメラモジュール機器は、カメラ部１が携帯電話機などに内蔵されたものを想定していたが、これに限るものではなく、カメラ部１がＰＤＡ（Personal Digital Assistant）その他の機器に内蔵されたものであっても構わない。また、本発明のディジタルカメラモジュール機器は、ディジタルカメラが１つのモジュールとして構成されているものであればよく、カメラ部１が機器に内蔵されているものに限らず、例えばディジタルカメラとパソコンなどを組み合わせて構成されたシステム（例えば防犯システム）などにも適用することも可能である。
【００６４】
【発明の効果】
以上のように、本発明によれば、カメラ部で撮影された画素単位のディジタルデータである画像データのうち画面表示に必要な領域を指定する場合、画像データが２次元配列された、カメラ部の撮影範囲である画像データ領域内に仮想的な第１領域を設定し、その第１領域内に第２領域を指定するようにしたので、カメラ部を交換して機器を製造しようとする場合に、作業者が簡単に指定領域の調整を行うことができ、作業者の作業負担を軽減することができる。
【００６５】
また、本発明によれば、１つのモジュールとして構成されたカメラ部で撮影された画素単位のディジタルデータである画像データを入力すると、記憶部に格納されている第１領域の原点座標データである第１領域原点に基づいて、画像データが２次元配列された、カメラ部の撮影範囲である画像データ領域中に、その画像データ領域の原点から水平方向及び垂直方向に所定画素数進んだ位置に第１領域原点を設定し、記憶部に格納されている第１領域原点からの相対座標データである第２領域原点及び第２領域の大きさを示すデータに基づいて、第１領域原点から水平方向及び垂直方向に所定画素数進んだ位置に第２領域原点を設定し、その第２領域原点から水平方向及び垂直方向に所定画素数の領域を第２領域として指定するようにしたので、カメラ部を交換して機器を製造しようとする場合に、作業者が、第１領域原点を設定変更するだけで指定領域の位置を調整することができ、作業効率が大幅に向上し、作業者の作業負担を一層確実に軽減することができる。
【００６６】
さらに、本発明によれば、画像データ領域指定部が、垂直同期信号及び水平同期信号で領域指定を行うようにしたので、簡易かつ確実に領域指定を行うことができる。
【図面の簡単な説明】
【図１】  本発明のディジタルカメラモジュール機器の構成を示すブロック図である。
【図２】  カメラ部の内部構造を示す構成図である。
【図３】  画像データ領域指定部で指定される第１及び第２領域を示す図である。
【図４】  画像データ領域指定部で指定される第１及び第２領域の具体例を示す図である。
【図５】  画像データ領域指定部が入出力する信号を示す図である。
【図６】  画像データ領域指定部が入力する各信号の具体例を示す図である。
【図７】  画像データ領域指定部が出力する各信号の具体例を示す図である。
【図８】  カメラ部を交換する場合における本発明のディジタルカメラモジュール機器の構成を示すブロック図である。
【図９】  第１カメラ部使用時の画像データ領域指定部による画像データ領域指定の具体例を示す図である。
【図１０】  設定変更後の第２カメラ部使用時の画像データ領域指定部による画像データ領域指定の具体例を示す図である。
【図１１】  従来のディジタルカメラモジュール機器の構成を示すブロック図である。
【図１２】  第１カメラ部及び第２カメラ部の撮影範囲を示す図である。
【図１３】  第１カメラ部使用時の画像データ領域指定部による画像データ領域指定の具体例を示す図である。
【図１４】  第１カメラ部を第２カメラ部に交換した場合の画像データ領域指定部による画像データ領域指定の具体例を示す図である。
【図１５】  設定変更後の第２カメラ部使用時の画像データ領域指定部による画像データ領域指定の具体例を示す図である。
【図１６】  表示モード切替機能を備えたディジタルカメラモジュール機器における記憶部の内部データを示す図である。
【符号の説明】
１  カメラ部
１Ａ  第１カメラ部
１Ｂ  第２カメラ部
２  画像データ領域指定部
４  表示部
６  記憶部
６１  第１領域原点
６２  第２領域原点
６３  第２領域範囲
３００，４００，５００，６００  画像データ領域（全領域）
３０１，４０１，５０１，６０１  第１領域
３０２，４０２，５０２，５０２  第２領域
４０３，５０３，６０３  表示領域
ＣＡＭＶＲＥＦ，ＰＩＣＶＲＥＦ  垂直同期信号
ＣＡＭＨＲＥＦ，ＰＩＣＨＲＥＦ  水平同期信号
ＣＡＭＤＡＴ［１５：０］，ＰＩＣＤＡＴ［１５：０］  画像データ
【図１】
0003709362.tif 000002
【図２】
0003709362.tif 000003
【図３】
0003709362.tif 000004
【図４】
0003709362.tif 000005
【図５】
0003709362.tif 000006
【図６】
0003709362.tif 000007
【図７】
0003709362.tif 000008
【図８】
0003709362.tif 000009
【図９】
0003709362.tif 000010
【図１０】
0003709362.tif 000011
【図１１】
0003709362.tif 000012
【図１２】
0003709362.tif 000013
【図１３】
0003709362.tif 000014
【図１４】
0003709362.tif 000015
【図１５】
0003709362.tif 000016
【図１６】
0003709362.tif 000017